(57)【要約】【課題】照射面を効率よく照射させることができ、圧迫感を感じさせにくい照明器具を提供する。【解決手段】照明器具は、取付板、本体、第１光源、第２光源を具備する。取付板は、第１面に取り付けられる。本体は、取付板に取り付けられる。第１光源は、本体の長手方向に沿って延びる第１基板と、本体の長手方向に沿って第１面を照射するように配置される複数の第１発光素子とを有する。第２光源は、本体の長手方向に沿って延びる第２基板と、第２基板の長手方向に沿って第１面とは異なる第２面を照射するように配置される複数の第２発光素子とを有する。第１光源は、本体の長手方向視で、照射向きと第１面とのなす第１角度が鋭角となる向きで第１面を照射するように本体に配置される。第２光源は、本体の長手方向視で、照射向きと第２面とのなす第２角度が鋭角となる向きで第２面を照射するように本体に配置される。【選択図】図２
2018137069.tif 000002
【特許請求の範囲】
【請求項１】
第１面に取り付けられる取付板と；
前記取付板に取り付けられる本体と；
前記本体の長手方向に沿って延びる第１基板と、前記第１基板の長手方向に沿って前記第１面を照射するように配置される複数の第１発光素子とを有する第１光源と；
前記本体の長手方向に沿って延びる第２基板と、前記第２基板の長手方向に沿って前記第１面とは異なる第２面を照射するように配置される複数の第２発光素子とを有する第２光源と；
を具備し、
前記第１光源は、前記本体の長手方向視で、照射向きと前記第１面とのなす前記第１光源側の角度である第１角度が鋭角となる向きで前記第１面を照射するように前記本体に配置され、
前記第２光源は、前記本体の長手方向視で、照射向きと前記第２面とのなす角度である前記第２光源側の第２角度が鋭角となる向きで前記第２面を照射するように前記本体に配置されることを特徴とする照明器具。
【請求項２】
前記本体は、前記第１面に沿う向きの底板を有し、
前記第１基板および前記第２基板は、前記本体の長手方向視で、前記底板に対して傾斜するようにそれぞれ配置されることを特徴とする請求項１に記載の照明器具。
【請求項３】
前記本体は、前記本体の長手方向視で、前記第２面と対向する側に、前記取付板の端部に引掛けて仮吊りする一次引掛け部を有することを特徴とする請求項１または２に記載の照明器具。
【請求項４】
前記本体は、前記第１光源用の第１放熱部と、前記第２光源用の第２放熱部とを有し、前記第１放熱部と前記第２放熱部とは分離していることを特徴とする請求項１〜３のいずれか一項に記載の照明器具。
【請求項５】
前記第１角度と前記第２角度とが異なるように前記第１光源と前記第２光源とが配置されることを特徴とする請求項１〜４のいずれか一項に記載の照明器具。
【発明の詳細な説明】
【技術分野】
【０００１】
本発明の実施形態は、照明器具に関する。
【背景技術】
【０００２】
天井面や壁面などの造営材に直射光を照射して得られる反射光を照明として利用する間接照明用の照明器具がある。例えば、天井面を均一に照射するためには光源を水平方向に近い角度で配置することが効率的である。かかる場合、光源が直接視認されることのないように光源前方に遮光性の部材を設ける必要があり、照明器具のサイズが大きくなりやすい。
【０００３】
また、壁面方向を均一に照射するためには、光源すなわち照明器具自体を壁面から離すことが有効であるが、壁面から離すと人に対して照明器具自体の圧迫感を感じさせることがある。
【先行技術文献】
【特許文献】
【０００４】
【特許文献１】特開２０１７−２１９００号公報
【発明の概要】
【発明が解決しようとする課題】
【０００５】
本発明が解決しようとする課題は、照射面を効率よく照射させることができ、圧迫感を感じさせにくい照明器具を提供することである。
【課題を解決するための手段】
【０００６】
実施形態の照明器具は、取付板、本体、第１光源、第２光源を具備する。取付板は、第１面に取り付けられる。本体は、取付板に取り付けられる。第１光源は、本体の長手方向に沿って延びる第１基板と、本体の長手方向に沿って第１面を照射するように配置される複数の第１発光素子とを有する。第２光源は、本体の長手方向に沿って延びる第２基板と、第２基板の長手方向に沿って第１面とは異なる第２面を照射するように配置される複数の第２発光素子とを有する。第１光源は、本体の長手方向視で、照射向きと第１面とのなす第１光源側の角度である第１角度が鋭角となる向きで第１面を照射するように本体に配置される。第２光源は、本体の長手方向視で、照射向きと第２面とのなす第２光源側の角度である第２角度が鋭角となる向きで第２面を照射するように本体に配置される。
【発明の効果】
【０００７】
本発明によれば、照射面を効率よく照射させることができ、圧迫感を感じさせにくい照明器具を提供することができる。
【図面の簡単な説明】
【０００８】
【図１】実施形態に係る照明器具の外観例を示す斜視図である。
【図２】実施形態に係る照明器具を示す図１のＡ−Ａ断面図である。
【図３】実施形態に係る照明器具の仮吊状態を示す断面図である。
【発明を実施するための形態】
【０００９】
以下に説明する実施形態に係る照明器具１は、取付板２、本体３０、第１光源８、第２光源９を具備する。取付板２は、第１面５１に取り付けられる。本体３０は、取付板２に取り付けられる。第１光源８は、取付板２の長手方向に沿って延びる第１基板１４と、第１基板１４の長手方向に沿って第１面５１を照射するように配置される複数の第１発光素子１５とを有する。第２光源９は、取付板２の長手方向に沿って延びる第２基板２１と、第２基板２１の長手方向に沿って第１面５１とは異なる第２面５２を照射するように配置される複数の第２発光素子２２とを有する。第１光源８は、本体３０の長手方向視で、照射向き６１と第１面５１とのなす第１光源８側の角度である第１角度θ１が鋭角となる向きで第１面５１を照射するように本体３０に配置される。第２光源９は、本体３０の長手方向視で、照射向き６２と第２面５２とのなす第２光源９側の角度である第２角度θ２が鋭角となる向きで第２面５２を照射するように本体３０に配置される。
【００１０】
また、以下に説明する実施形態に係る本体３０は、第１面５１に沿う向きの底板３を有し、第１基板１４および第２基板２１は、本体３０の長手方向視で、底板３に対して傾斜するようにそれぞれ配置される。
【００１１】
また、以下に説明する実施形態に係る本体３０は、本体３０の長手方向視で、第２面５２と対向する側に、取付板２の端部２ｂに引掛けて仮吊りする一次引掛け部３６、３７を有する。
【００１２】
また、以下に説明する実施形態に係る本体３０は、第１光源８用の第１放熱部１８と、第２光源９用の第２放熱部２５とを有し、第１放熱部１８と第２放熱部２５とは分離している。
【００１３】
また、以下に説明する実施形態に係る照明器具１は、第１角度θ１と第２角度θ２とが異なるように第１光源８と第２光源９とが配置される。
【００１４】
以下に、本発明に係る実施形態を図面に基づき説明する。なお、以下に示す実施形態は、本発明が開示する技術を限定するものではない。また、実施形態において同一の部位には同一の符号を付し、重複する説明は省略する。
【００１５】
図１は、実施形態に係る照明器具の外観例を示す斜視図である。図１では、照明器具１を斜め上方向から見た例を示す。
【００１６】
図１に示すように、照明器具１は、取付板２、側板６、７、第１光源８、第２光源９、貫通孔１２、器具本体３０、固定部材３２、３３、連結部材３４、一次引掛け部３６、３７、開口部４０、４１を有する。照明器具１は、固定部材３２、３３により天井面へ設置され、開口部４０を介して第１光源８から出力される光が天井面へと照射され、開口部４１を介して第２光源９から出力される光が壁面方向へと照射される天井直付けタイプの照明器具である。
【００１７】
なお、説明を分かりやすくするために、図１には、鉛直上向きを正方向とし、鉛直下向きを負方向とするＺ軸を含む３次元の直交座標系を図示している。また、Ｘ軸は照明器具１の長手方向に、Ｙ軸は照明器具１の短手方向に、それぞれ沿うように図示している。
【００１８】
取付板２は、例えば鋼板であり、固定部材３２、３３が挿通されるように開口されている。固定部材３２、３３は、例えば、ねじであり、取付板２の下側から固定部材３２、３３を挿通させて取付板２が天井面に固定される。なお、取付板２の天面は天井面と接触するように取り付けられる。なお、取付板２は天井面と離れて固定されてもよい。
【００１９】
また、取付板２は、長手方向の一端部分に連結部材３４を有し、他端部分に連結用孔３５が設けられている。連結部材３４は、凸部３４ａ、３４ｂを有しており、連結用孔３５は、凸部３４ａ、３４ｂの形状に対応した凹部３５ａ、３５ｂを有している。凸部３４ａ、３４ｂは、Ｘ軸正方向に配置された別の照明器具１（図示せず）の凹部３５ａ、３５ｂに差し込まれることにより、２つの照明器具１が連結される。また、凹部３５ａ、３５ｂは、Ｘ軸負方向に配置された別の照明器具１（図示せず）の凸部３４ａ、３４ｂが差し込まれることにより、２つの照明器具１が連結される。
【００２０】
側板６、７は、照明器具１の長手方向の両端にそれぞれ設けられる。側板６、７は、照明器具１の機械的強度を保つとともに、照明器具１の長手方向への第１光源８および第２光源９からの光の漏出や外部からの異物の混入を抑制する役割を有している。側板６、７は、熱可塑性樹脂や熱硬化性樹脂などの樹脂材料、あるいは鋼板などで構成することができる。
【００２１】
第１光源８および第２光源９は、照明器具１の長手方向に延びる長尺の部材であり、照明器具１の短手方向の両側にそれぞれ設けられる。第１光源８は主として天井面を、第２光源９は主として壁面をそれぞれ照明する。すなわち、照明器具１は、天井面および壁面の両方に光を照射する間接照明器具である。
【００２２】
ここで、照明器具１の構成について、図１、図２を参照して更に詳しく説明する。図２は、実施形態に係る照明器具を示す図１のＡ−Ａ断面図である。図２に示すように、照明器具１は、第２光源９が壁面５２を照射するよう、第２光源９が壁面５２と向かい合い、かつ長手方向が壁面５２に沿うように壁面５２から所定の間隔をあけて天井面５１に設置される。
【００２３】
取付板２は、短手方向の両端がＺ軸負方向に折曲されており、端部２ａ、２ｂをそれぞれ構成する。端部２ａ、２ｂは、器具本体３０に取り付けられる。
【００２４】
また、取付板２の下に端部２ａ、２ｂで挟まれるように形成された空間には、点灯装置１０が配置されている。点灯装置１０は放熱板１１を介して取付板２に取り付けられている。点灯装置１０は、商用交流電源に接続されており、この商用交流電源を受けて直流出力を生成する。点灯装置１０は、第１点灯装置１０ａおよび第２点灯装置１０ｂを含む。第１点灯装置１０ａは第１光源８を、第２点灯装置１０ｂは第２光源９を、それぞれ独立して点灯制御または調光制御するように構成される。
【００２５】
第１点灯装置１０ａは、第１基板１４を介して第１発光素子１５に接続されており、直流出力を第１発光素子１５に供給し、第１発光素子１５を点灯制御する。第２点灯装置１０ｂは、第２基板２１を介して第２発光素子２２に接続されており、直流出力を第２発光素子２２に供給し、第２発光素子２２を点灯制御する。なお、第１基板１４、第１発光素子１５、第２基板２１および第２発光素子２２については後述する。
【００２６】
また、取付板２には、端子台（図示せず）も取り付けられている。端子台には、電源線や送り線、調光信号線が接続されるようになっている。
【００２７】
次に、器具本体３０について説明する。器具本体３０は、底板３、第１枠体４および第２枠体５を有する。底板３、第１枠体４および第２枠体５はいずれも、照明器具１の長手方向に延びる長尺の部材である。
【００２８】
底板３は、例えば鋼板などの遮光性を有する部材であり、天井面５１に沿う向きに配置されている。底板３は、第１光源８および第２光源９の下方に配置される。このように底板３を配置することにより、照明器具１は、第１光源８および第２光源９から照射された光が第１光源８および第２光源９の下に直接には届かないようになり、間接照明として適したものとなる。また、底板３は、Ｙ軸負方向側の端部３ａがＺ軸正方向側に屈曲されている。このように端部３ａを構成することにより、照明器具１は、第１光源８から照射された光が、第１光源８の側面から直接見えないようになり、間接照明として適したものとなる。
【００２９】
また、図２では、底板３のＹ軸正方向側の端部３ｂは、第２光源９の下方を一部露出させるように配置されている。このように底板３を配置させることにより、第２光源９から照射された光が、第２光源９と向かい合う壁面５２の正面や上方側だけでなく、下方側を照射することができるようになる。なお、第１光源８および第２光源９に対する底板３の端部３ａ、３ｂの位置関係は、間接照明として所望する特性に応じて適宜変更することができる。
【００３０】
第１枠体４および第２枠体５は、器具本体３０の短手方向の両端部に配置されている。第１枠体４および第２枠体５は、例えば鋼板などの剛性を有する部材で構成され、底板３とともに器具本体３０の外観形状を規定する。
【００３１】
第１枠体４の上端部４２は、固定部材３１によって取付板２の端部２ａに固定される。また、第１枠体４の端部２８および下端部２７は、底板３の端部３ａおよび底板３に当接されている。そして、第１枠体４の上端部４２と下端部２７との間には、第１光源８が取り付けられる。
【００３２】
固定部材３１は、例えばプッシュスクリューである。固定部材３１は１つであってもよく、また複数であってもよい。固定部材３１は、例えば、照明器具１のサイズなどに応じて適宜設定することができる。
【００３３】
第２枠体５の上端部４３は、一次引掛け部３６、３７によって取付板２の端部２ｂに固定される。また、第２枠体５の端部４４は、底板３に当接するように折曲されている。そして、第２枠体５の上端部４３と、端部４４からＺ軸正方向側に折曲された折曲部２９との間には、第２光源９が取り付けられる。
【００３４】
次に、第１光源８について説明する。第１光源８は、第１光源取付具１９と、第１拡散カバー１３と、第１基板１４と、第１発光素子１５とを含む。
【００３５】
第１光源取付具１９は、第１枠体４に取り付けられる。第１光源取付具１９は、例えばアルミニウムなどの、放熱性の高い金属製の材料にて構成される。また、第１光源取付具１９は、第１枠体４の上端部４２に当接される上端部１９ａ、上端部１９ａから折曲された第２装着部１７、第２装着部１７から折曲された第１放熱部１８および第１放熱部１８から折曲された第１装着部１６を含む。第１装着部１６および第２装着部１７は、第１拡散カバー１３が装着されるよう互いに平行となるように配置されている。
【００３６】
第１装着部１６の端部は、第１枠体４に予め設けられた開口（図示せず）に差し込まれる。また、第１光源取付具１９の上端部１９ａは、例えばボルトなどの締結部材（図示せず）によって第１枠体４の上端部４２に取り付けられる。これにより、第１光源取付具１９は第１枠体４に固定される。
【００３７】
第１基板１４は、第１基板１４の長手方向が器具本体３０の長手方向に沿って延びる断面略長方形状に形成されている。第１基板１４は、第１放熱部１８にねじ止め等によって、第１基板１４の裏面側が第１放熱部１８に密着するように取付けられている。この第１基板１４の表面側である主面１４ａには、複数の第１発光素子１５が実装されている。
【００３８】
第１基板１４は、第１放熱部１８の一方面、具体的には天井面５１側の面に取り付けられる。第１基板１４は、例えばガラスエポキシ樹脂などの絶縁性を有する平板であり、主面１４ａ側には銅箔などの導電性材料で形成された配線パターンが施されている。また、適宜レジスト層が施されるようになっている。なお、第１基板１４の材料は、絶縁材とする場合には、セラミックス材料又は合成樹脂材料を適用してもよい。また、第１基板１４の材料は、金属製としてもよく、かかる場合には、例えばアルミニウムなどの熱伝導性が良好で放熱性に優れた材料を適用するのが好ましい。
【００３９】
第１発光素子１５は、第１基板１４の長手方向に沿って複数配置されている。第１発光素子１５は、例えばセラミックスで形成された本体に配設されたＬＥＤチップと、このＬＥＤチップを封止するエポキシ系樹脂やシリコーン樹脂等のモールド用の透光性樹脂とを含む。
【００４０】
ＬＥＤチップは、例えば、青色光を発する青色のＬＥＤチップである。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光や緑色光を発するものであってもよい。
【００４１】
また、ＬＥＤは、ＬＥＤチップを直接第１基板１４に実装するようにしてもよく、また、砲弾型のＬＥＤを実装するようにしてもよく、実装方式や形式は、特に限定されるものではない。
【００４２】
第１拡散カバー１３は、例えば、アクリルやポリカーボネート等の透光性の材料から作られている。第１拡散カバー１３は、第１基板１４の長手方向に沿った長尺状を有しており、第１装着部１６および第２装着部１７に嵌着させるようにして固定される。また、第１拡散カバー１３は、フロスト処理が施されて第１発光素子１５から出射される光を拡散する機能を有するようになっている。なお、第１拡散カバー１３に適宜拡散材を混入させて光の拡散性をもたせるようにしてもよい。
【００４３】
このように構成された第１光源８は、器具本体３０の長手方向視で、第１光源８の照射向き６１と天井面５１とのなす第１光源８側の角度θ１（以下、「第１角度θ１」と称する）が鋭角となる向きで天井面５１を照射するように器具本体３０に配置されている。これにより、第１光源８は、照射面である天井面５１を効率よく照射させることができる。
【００４４】
ここで、「第１光源８の照射向き６１」とは、第１光源８の光軸の向き、具体的には、第１発光素子１５から放射された光が第１基板１４に平行な面を照射するときの照射領域の中心に対する、第１発光素子１５の中心を基準とした向きをいう。なお、図２では、第１基板１４に対して垂直な方向を第１光源８の照射向き６１として図示している。
【００４５】
なお、第１光源８の照射向き６１は、例えば、第１光源取付具１９の上端部１９ａに対する第２装着部１７の折曲角度を変更することで調整することができる。
【００４６】
次に、第２光源９について説明する。第２光源９は、第２光源取付具２６と、第２拡散カバー２０と、第２基板２１と、第２発光素子２２とを含む。
【００４７】
第２光源取付具２６は、第２枠体５に取り付けられる。第２光源取付具２６は、例えば第１光源取付具１９と同じ材料にて構成される。また、第２光源取付具２６は、第２枠体５の上端部４３に当接される上端部２６ａ、上端部２６ａからＹ軸負方向側に折曲されるとともに第２枠体５に当接される折曲部２６ｂ、折曲部２６ｂから折曲された第４装着部２４、第４装着部２４から折曲された第２放熱部２５および第２放熱部２５から折曲された第３装着部２３を含む。第３装着部２３および第４装着部２４は、第２拡散カバー２０が装着されるよう互いに平行となるように配置されている。
【００４８】
第３装着部２３の端部は、第２枠体５に予め設けられた開口（図示せず）に差し込まれる。また、第２光源取付具２６の上端部２６ａは、例えばボルトなどの締結部材（図示せず）によって第１枠体４の上端部４２に取り付けられる。これにより、第２光源取付具２６は第２枠体５に固定される。
【００４９】
第２基板２１は、第２基板２１の長手方向が器具本体３０の長手方向に沿って延びる断面略長方形状に形成されている。第２基板２１は、第２放熱部２５にねじ止め等によって、第２基板２１の裏面側が第２放熱部２５に密着するように取付けられている。この第２基板２１の表面側である主面２１ａには、複数の第２発光素子２２が実装されている。
【００５０】
第２基板２１は、第２放熱部２５の一方面、具体的には壁面５２側の面に取り付けられる。第２基板２１は、例えば、第１基板１４と同様に構成される。
【００５１】
第２発光素子２２は、第２基板２１の長手方向に沿って複数配置されている。第２発光素子２２は、例えば第１発光素子１５と同様に構成することができる。なお、第１発光素子１５および第２発光素子２２は、例えば色温度や発光色を同じとしてもよく、また色温度や発光色の一方または両方を互いに異ならせてもよい。
【００５２】
第２拡散カバー２０は、例えば、第１拡散カバー１３と同じ材料にて構成することができる。第２拡散カバー２０は、第２基板２１の長手方向に沿った長尺状を有しており、第３装着部２３および第４装着部２４に嵌着させるようにして固定される。なお、第２拡散カバー２０は、第１拡散カバー１３と共通化して使用することができる。
【００５３】
このように構成された第２光源９は、器具本体３０の長手方向視で、第２光源９の照射向き６２と壁面５２とのなす第２光源９側の角度θ２（以下、「第２角度θ２」と称する）が鋭角となる向きで壁面５２を照射するように器具本体３０に配置されている。これにより、第２光源９は、照射面である壁面５２を効率よく照射させることができる。
【００５４】
ここで、「第２光源９の照射向き６２」とは、第２光源９の光軸の向き、具体的には、第２発光素子２２から放射された光が第２基板２１に平行な面を照射するときの照射領域の中心に対する、第２発光素子２２の中心を基準とした向きをいう。なお、図２では、第２基板２１に対して垂直な方向を第２光源９の照射向き６２として図示している。
【００５５】
なお、第２光源９の照射向き６２は、例えば、第２光源取付具２６の上端部２６ａに対する折曲部２６ｂおよび第４装着部２４の折曲角度を変更することで調整することができる。
【００５６】
次に、一次引掛け部３６、３７の用途について図３を用いて説明する。図３は、実施形態に係る照明器具１の仮吊状態を示す断面図である。以下では、図３に示した一次引掛け部３６についての説明にとどめるが、一次引掛け部３７についても同様である。
【００５７】
図３に示すように、まず、天井面５１に取付板２を取り付ける。次に、取付板２の端部２ｂに設けられた貫通孔１２に、一次引掛け部３６の端部３６ａを挿通させるようにして引掛ける。この状態で、器具本体３０は一次引掛け部３６により貫通孔１２に仮吊される。
【００５８】
そして、器具本体３０を取付板２に向かって底板３の下から持ち上げるように移動させると、第１枠体４と取付板２の端部２ｂとが当接する。ここで、固定部材３１を用いることにより、取付板２と、器具本体３０とを有する照明器具１が得られる。このように、壁面５２に近い取付板２の端部２ｂに一次引掛け部３６、３７を有すると、壁面５２に近い箇所での取り付け作業であっても施工性が向上する。
【００５９】
実施形態に係る照明器具１が備える第１光源８は、器具本体３０の長手方向視で、照射向き６１と第１面５１とのなす第１光源８側の角度である第１角度θ１が鋭角となる向きで天井面５１を照射するように器具本体３０に配置され、第２光源９は、本体の長手方向視で、照射向き６２と第２面５２とのなす第２光源９側の角度である第２角度θ２が鋭角となる向きで第２面５２を照射するように配置される。これにより、照明器具１は、第２面５２に近く、圧迫感を感じさせにくい配置にて照射面である第１面５１および第２面５２を効率よく照射させることができる。また、照明器具１を小型化することができる。
【００６０】
また、実施形態に係る照明器具１が備える器具本体３０は、第１面５１に沿う向きの底板３を有する。また、第１基板１４および第２基板２１は、器具本体３０の長手方向視で、底板３に対して傾斜するようにそれぞれ配置される。これにより、照明器具１は、圧迫感を感じさせにくい配置にて照射面である第１面５１および第２面５２を効率よく照射させることができる。また、第１面５１や第２面５２の造作を必要とせず、簡便に間接照明用の照明器具１を設置することができる。
【００６１】
また、実施形態に係る照明器具１が備える器具本体３０は、長手方向視で、第２面５２と対向する側に、取付板２の端部２ｂに引掛けて仮吊りする一次引掛け部３６、３７を有する。これにより、第２面５２に近い箇所での取り付け作業であっても、施工性が向上する。
【００６２】
また、実施形態に係る照明器具１が備える器具本体３０は、第１光源８用の第１放熱部１８と、第２光源９用の第２放熱部２５とを有し、第１放熱部１８と第２放熱部２５とは分離している。これにより、照明器具１は、例えば光出力を高めた場合など発熱量が大きくなった場合であっても良好な放熱性を確保することができる。
【００６３】
また、実施形態に係る照明器具１が備える器具本体３０は、第１角度θ１と第２角度θ２とが異なるように第１光源８と第２光源９とが配置される。これにより、第１放熱部１８と第２放熱部とが平行でない角度で形成されることとなるので、筐体内での空気の流れによる放熱効果を期待できる。
【００６４】
なお、実施形態に係る照明器具１が備える器具本体３０のうち、第１光源８および第２光源９から照射される光が届く部位、具体的には第１枠体４の下端部２７および端部２８、第２枠体５の折曲部２９ならびに底板３の端部３ｂの表面を反射面となるように構成してもよい。また、例えば、上記した各部位に対して光反射性を有する白色塗料を塗布して反射面を構成してもよく、また、第１枠体４、第２枠体５および底板３を予め金属製の反射板で構成してもよい。これにより、第１光源８および第２光源９から照射された光を効率よく利用することができる。
【００６５】
また、第１発光素子１５および第２発光素子２２は、第１基板１４および第２基板２１の短手方向に複数に配列されるように構成してもよい。
【００６６】
また、第１角度θ１および第２角度θ２が同じ、すなわち、第１放熱部１８および第２放熱部２５が平行となるように配置されてもよい。
【００６７】
また、上述した説明では、照明器具１は、第１面として天井面５１を照明し、第２面として壁面５２を照明した。しかしながら、照明器具１は、第１面として壁面５２を照明し、第２面として天井面５１を照明してもよい。かかる場合、器具本体３０は、壁面５２に取り付けられた取付板２に取り付けられ、第１光源８が壁面５２を照明し、第２光源９が天井面５１を照明することとなる。
【００６８】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６９】
１  照明器具
２  取付板
３  底板
４  第１枠体
５  第２枠体
６、７  側板
８  第１光源
９  第２光源
１４  第１基板
１５  第１発光素子
１８  第１放熱部
２１  第２基板
２２  第２発光素子
２５  第２放熱部
３０  器具本体（本体）
３６、３７  一次引掛け部
【図１】
2018137069.tif 000003
【図２】
2018137069.tif 000004
【図３】
2018137069.tif 000005